(57)【要約】      （修正有）【課題】コンテナ内部とコンテナ周囲の熱交換が低減された開口部を有するコンテナ蓋の開口部の閉止装置を提供する。【解決手段】コンテナ蓋の開口部を閉止するための装置１であって、コンテナ蓋上に装置を固定するための固定要素２と、固定要素に移動可能に連結され、閉止位置では、コンテナ蓋の開口部を覆い、開放位置では、コンテナ蓋の開口部を覆わない閉止要素２０と、固定要素と閉止要素に移動可能に連結され、水平方向の力が作用し、その結果、閉止要素が閉止位置から開放位置まで移動可能であるガイドレール２６と、を備え、固定要素と閉止要素は、それぞれが固定要素側軸受１８と閉止要素側軸受１６に回転可能に取り付けられた一対の互いに平行なレバー１４によって連結され、各軸受は、閉止要素に対して垂直な回転軸を有し、ガイドレールは各軸受を介してレバーのそれぞれに回転可能に取り付けられ、各軸受は、閉止要素に垂直な回転軸を有する。【選択図】図１
2014137372.tif 000002
【特許請求の範囲】
【請求項１】
コンテナ蓋（４）上に装置（１）を固定するための固定要素（２）と、
固定要素（２）に移動可能に連結され、閉止位置では、コンテナ蓋（４）の開口部（４０）を覆い、開放位置では、コンテナ蓋（４）の開口部（４０）を覆わない閉止要素（２０）と、
固定要素（２）と閉止要素（２０）に移動可能に連結され、水平方向の力が作用し、その結果、閉止要素（２０）が閉止位置から開放位置まで移動可能であるガイドレール（２６）と、を備え、
固定要素（２）と閉止要素（２０）は、それぞれが固定要素側軸受（１８）と閉止要素側軸受（１６）に回転可能に取り付けられた一対の互いに平行なレバー（１４）によって連結され、軸受（１８、１６）は、閉止要素（２０）に対して垂直な回転軸を有し、
ガイドレール（２６）は各軸受（２４）を介してレバー（１４）のそれぞれに回転可能に取り付けられ、各軸受（２４）は、閉止要素（２０）に垂直な回転軸を有する、
コンテナ蓋（４）の開口部（４０）を閉止するための装置（１）。
【請求項２】
ガイドレール（２６）は、閉止要素側軸受（１６）の間の仮想上の直線に対して平行に配置されている請求項１に記載の装置（１）。
【請求項３】
ガイドレール（２６）は、その長手軸方向の先方に、固定要素（２）の方向に湾曲する第１の部分（２８）と、第２の直線状の部分を有する請求項１または２のいずれかに記載の装置（１）。
【請求項４】
さらに、軸受（１８、１６、２４）の少なくとも１つに割り当てられ、閉止要素（２０）を開放位置から閉止位置まで移動させる働きを有する復元部（２２）を少なくとも１つ有する請求項１から３のいずれかに記載の装置（１）。
【請求項５】
閉止位置が移動制限部（３２）に割り当てられており、復元部（２２）が移動制限部（３２）の方向に力をかけ、湾曲部（２８）はその力が作用する方向に対してガイドレール（２６）の側に配置されている請求項４に記載の装置（１）。
【請求項６】
復元部（２２）は、ばね部、好ましくは、脚ばね、引っ張りばね、または圧縮ばねであり、その第１の脚部が固定要素（２）に連結され、第２の脚部が一方のレバー（１４）に連結されている請求項４または５のいずれかに記載の装置（１）。
【請求項７】
ガイドレール（２６）の湾曲部（２８）が波形である請求項１から６のいずれかに記載の装置（１）。
【請求項８】
少なくとも１つの開口部（４０）を有するコンテナ蓋（４）であって、
請求項１から７のいずれかに記載の装置（１）が、開口部（４０）上に配置されていることを特徴とするコンテナ蓋（４）。
【請求項９】
開口部（４０）の縁部が傾斜しており、閉止要素（２０）がこの縁部の傾斜に対応する楔形状を備える請求項８に記載のコンテナ蓋（４）。
【請求項１０】
請求項８または９のいずれかに記載のコンテナ蓋（４）を有する自動分析装置の試薬容器コンテナ（５０）。
【請求項１１】
さらに、試薬容器（７０）用の受容部を有する回転ホイールを備え、コンテナ蓋（４）の開口部（４０）が受容ホイールの中心点から半径方向に延在する請求項１０に記載の試薬容器コンテナ（５０）。
【請求項１２】
コンテナ蓋（４）の開口部（４０）は、開口部（４０）を通して、試薬容器（７０）を試薬容器コンテナ（５０）の中に挿入したり、試薬容器コンテナ（５０）から取り出したりできるように設計されている請求項１０または１１のいずれかに記載の試薬容器コンテナ（５０）。
【請求項１３】
コンテナ蓋（４）の開口部（４０）は、ピペッティング装置が開口部（４０）を通して試薬容器にアクセスするように設計されている請求項１０から１２のいずれかに記載の試薬容器コンテナ（５０）。
【請求項１４】
請求項１０から１３のいずれかに記載の試薬容器コンテナ（５０）と、試薬容器コンテナ（５０）に対する試薬容器（７０）の挿入および取出し用装置（８０）とを有する自動分析装置であって、
装置（８０）は、試薬容器を受容するための機構、好ましくは把持部（６０）を有する自動分析装置。
【請求項１５】
試薬容器（７０）の挿入および取出し用装置は、ガイドレール（２６）に対して平行な方向に移動可能であるとともに、ガイドレール（２６）に水平方向の力をかけることができる搬送アーム（３６）を備えている請求項１４に記載の自動分析装置。
【請求項１６】
搬送アーム（３６）は、接触部（３８）、好ましくはガイドレール（２６）に係合するローラを有する請求項１５に記載の自動分析装置。
【発明の詳細な説明】
【技術分野】
【０００１】
本発明は、コンテナ蓋の開口部を閉止するための装置に関し、自動分析装置の試薬容器コンテナを覆うために設けられたコンテナ蓋に対する前記装置の使用に関する。
【背景技術】
【０００２】
血液、血漿、血清、または尿、あるいは他の生体サンプルなどの体液のサンプルの生理学的パラメータを判定するための検出および分析方法の多くは、対応する分析装置によって自動で実行される。
【０００３】
現行の分析装置は、多種多様な検出反応の検出を実行することができ、数多くのサンプルを分析している。現在、臨床検査室や血液銀行で使用されている種類の分析装置は、通常、分析する主要のサンプルを収容するサンプル容器を分配するための領域を有する。サンプル容器を分析装置に給送するため、通常は、まず、サンプル容器を、サンプル容器に貼付されているサンプルの特有情報を検出しその情報を収容部に転送するサンプル識別装置に搬送するための搬送装置が設けられている。その後、サンプル容器をサンプリングステーションに搬送する。サンプルをピペッティングする装置と協働して、少なくとも一定分量のサンプル液をサンプル容器から取り出して、反応容器に移す。
【０００４】
測光（例えば、濁度、比濁、蛍光、または発光）あるいは放射測定原理に基づく測定装置が特に一般的である。これらの方法により、別の分離工程を設けることなく、液体サンプル内の検体の定性的、定量的検出が可能になる。検体の濃度や活動のような臨床的に関連するパラメータは、一定分量の患者の体液を同時または連続して反応容器内の一種以上のテスト試薬と混合することにより判定することが多い。その結果、生体反応が始まり、試験混合液の光学的特性に測定可能な変化をもたらすのである。
【０００５】
そして、測定の結果は、測定装置によって収容部に運ばれ、評価される。続いて、分析装置がサンプル特有の測定値を例えば、モニター、プリンター、あるいはネットワーク接続などのような出力媒体を介して使用者に提供する。
【０００６】
異なる種類の、テスト特有の反応混合物を生成するために必要な試薬は、通常、装置の試薬ステーションの試薬容器コンテナの中の、対応する一つもしくは複数のチャンバを有する試薬容器に収容される。実行する多種多様の分析の観点からすると、この試薬容器コンテナは、典型的には多数の試薬容器の受容部を有し、多くの場合、試薬の耐用年数を確保するため、冷却装置も備えている。分析装置は、必要に応じてピペッティング装置により、搬送アームを使って自動で試薬のストックにアクセスし、特定の分析に必要な試薬を取り出す。
【０００７】
多くのエネルギーを使わずに試薬を冷却するため、試薬容器コンテナは、典型的には確実に断熱されるとともに、コンテナ蓋を備える。しかし、コンテナ蓋は、ピペッティング装置で必要な液体の試薬を取り出すことができるように、少なくとも１つの開口部を備えていなければならない。中空針の形態のピペッティング装置は、比較的直径が小さく、非常に高い正確性をもって移動可能でもあるため、ピペット針が通過できるようにコンテナ蓋に設けられた開口部も比較的小さくすることができる。よって、コンテナ蓋のピペッティング孔またはピペッティングスリットで起きる熱交換は、さほど問題ではない。より問題となるのは、試薬容器が交換可能に構成されたコンテナ蓋の開口部を介した熱交換である。そのような開口部の寸法は、ピペッティング孔よりかなり大きく、その開口部を介して試薬容器を試薬容器コンテナの中に挿入したり、取り出したりできるようになっている。ピペッティング孔と試薬容器の交換用の孔を有するコンテナ蓋を有する試薬容器コンテナが特許文献１で知られている。
【先行技術文献】
【特許文献】
【０００８】
【特許文献１】欧州特許出願公開第１９１８７２１号（ＥＰ−Ａ１−１９１８７２１）
【発明の概要】
【発明が解決しようとする課題】
【０００９】
従って、本発明の目的は、コンテナ内部とコンテナ周囲の熱交換が低減された開口部を有するコンテナ蓋を製造することにある。
【課題を解決するための手段】
【００１０】
この目的は、閉止装置がコンテナ蓋の開口部に利用可能であり、その結果として、開口部をアクセス工程で開放でき、またアクセス工程でないときには閉止することができることにより達成される。本発明の閉止装置は、コンテナ蓋の開口部を密閉かつ断熱して閉止することができ、自動開閉中の開放時間を最小限とすることができる。
【００１１】
よって、本発明の目的は、コンテナ蓋の開口部を閉止するための装置である。この装置は、コンテナ蓋上に装置を固定するための固定要素と、固定要素に移動可能に連結され、閉止位置にあるときにはコンテナ蓋の開口部を覆い、開放位置にあるときにはコンテナ蓋の開口部を覆わないように構成された閉止要素とを備える。本装置は、さらに、固定要素と閉止要素に移動可能に連結されたガイドレールを備える。水平方向の力がガイドレールに作用すると、閉止要素が閉止位置から開放位置へ移動可能となる。固定要素と閉止要素は、一対の互いに平行なレバーによって連結されている。各レバーは、固定要素側軸受と閉止要素側軸受とに回転可能に取り付けられており、軸受は閉止要素に対して垂直な回転軸を有する。ガイドレールは、各レバーにそれぞれの軸受を介して回転可能に取り付けられており、前記軸受は、同様に閉止要素に垂直な回転軸を有する。
【００１２】
すでに述べた断熱機能に加え、本発明の閉止装置は、コンテナの内部へのアクセスが必要な場合にガイドレールに水平方向の力を与えることができる可動構造部が設けられていれば、手動でも、また自動でも開放することができるという効果を有する。この有利な操作モードについては、自動分析装置の試薬容器コンテナの例を挙げて後にさらに詳しく説明する。
【００１３】
ガイドレールを、例えば、水平方向の力を加えて起動させることにより、平板形状が好ましい閉止要素が一平面上で変位する。
【００１４】
ガイドレールを、閉止要素と固定要素を連結するレバー上に配置することにより、物理的な意味でレバーを介して閉止要素を変位させることができる。すなわち、より大きい力を加えることにより変位の距離を大きくすることができる。よって、閉止要素を完全に開くことができ、コンテナ内部へのアクセシビリティを高めることができる。ガイドレールの回転可能に支持する軸受は、レバーの固定要素側軸受から十分離れていれば、レバーのどの位置にでも取り付けることができる。ガイドレールの回転可能に支持する軸受は、さらに、レバー用の閉止要素側軸受と同じ回転軸となるようにレバー上に配置することもできる。
【００１５】
互いに平行なレバーの２個の固定要素側軸受と２個の閉止要素側軸受は、平行四辺形の角部と考えることができ、閉止要素の変位は、平行四辺形の角度の変化に相当する。
【００１６】
好ましい実施の形態では、閉止要素がコンテナ蓋の開口部を覆う閉止位置が、平行四辺形の内角が９０度になる位置に相当する。この位置では、閉止要素が固定要素からもっとも遠い位置になる。逆に、上記のような効果から、変位量はこのようにして最大化される。
【００１７】
また、別の有利な実施形態では、閉止要素側軸受を互いに連結する平行四辺形の辺は、反対側の一方より長い。このような寸法により、閉止要素がコンテナ蓋の開口部を覆わない開放位置では、レバーは直線状になる、すなわち、すべての軸受が一線上に並ぶまでレバーは旋回可能である。これにより、上記のような効果から、蓋板をさらに開き、変位量を最大化することができる。
【００１８】
ガイドレールは、閉止要素側軸受同士の仮想上の接続線に対して平行に配置するのが好ましい。
【００１９】
さらに、ガイドレールは、その長手軸に沿って、固定要素の方向に湾曲する第１の部分と、第２の直線的な部分を有しているのが好ましい。この構成は、コンテナの内部にアクセスしたい場合、移動可能な構造部（例えば、試薬容器を試薬要素コンテナに挿入および取出しをするための装置の一部）をガイドレールの湾曲端に向けて移動させることにより、水平方向の力をガイドレールにかけることができるという効果がある。構造部がガイドレールに平行に移動する場合、閉止要素は端部の湾曲形状により、脇に押しやられる。構造部がガイドレールの直線部に到達すると、閉止要素は開放位置のままとなる。
【００２０】
ガイドレールの湾曲部は、波形、すなわち縁部がなく、絶えず曲率が変化する形状とするのが有利である。移動可能な構造部がガイドレールに沿って誘導されると、ガイドレールの湾曲部の波形形状が摩擦を抑制し、停止する可能性がなくなる。よって、自動閉止装置は、故障の可能性が低い。
【００２１】
別の有利な実施形態では、本発明の閉止装置は、２個のレバーの軸受の少なくとも一方、もしくはガイドレールに割り当てられた復元部を備え、閉止要素を開放位置から閉止位置まで移動させる働きを有する。
【００２２】
復元部は、例えば、脚ばね、引っ張りばね、または圧縮ばねのような形態のばね要素であるのが好ましい。特に適しているのが、第１の脚部が固定要素に連結され、第２の脚部が一方のレバーに連結された脚ばねである。
【００２３】
復元部は、上記した平行四辺形の内角が９０度になる位置に復元するよう作用するのが好ましい。
【００２４】
本発明の閉止装置の別の実施形態では、閉止要素がコンテナ蓋の開口部を覆う閉止位置に移動制限部が割り当てられており、復元部は、移動制限部の方向に力を加える。
【００２５】
本発明のもう一つの課題は、少なくとも１個の開口部を有するコンテナ蓋に関するもので、上記の閉止装置が、開口部上に配置されている。閉止装置は、固定要素を介してコンテナ蓋に連結されている。連結は、解除可能でも、解除不可能でもよい。解除可能な連結としては、例えば、ねじ止めが挙げられる。解除不可能な連結としては、溶接、接着剤による接着、またはリベットによる連結が挙げられる。
【００２６】
特に、コンテナ蓋の特定の実施形態では、コンテナ蓋の開口部の縁部が傾斜状に形成されており、閉止要素はこの縁部の傾斜に対応する楔形状を有する。この構成は、閉止要素は、閉止位置から開放位置まで水平に移動すると、特に摩擦もなく、開口部から離れる方向に摺動するという効果がある。同時に、閉止位置では、接触圧が得られ、開口部が密閉されるようになる。
【００２７】
本発明のさらに別の課題は、上記のようなコンテナ蓋を備えた自動分析装置用の試薬容器コンテナに関する。コンテナ蓋は、試薬容器コンテナに連結できる、あるいは、その上部に嵌合する形態で単に載置できるように構成されている。その連結は、例えば、ヒンジやネジで実現できる。
【００２８】
試薬容器コンテナは、試薬容器用の複数の受容部と、試薬容器を収容した受容部を移動させる搬送装置とを有するのが好ましい。搬送装置は、線形の構成でもよく、あるいは、回転ホイールまたは回転可能なディスクなど、垂直軸を中心に回転する搬送装置でもよい。
【００２９】
試薬容器コンテナの特定の実施形態は、試薬容器用の受容部を有する回転ホイールを備え、コンテナ蓋の開口部は受容ホイールの中心点から半径方向に延在する。同軸に円形に配置された試薬容器用の受容部を有するこの種の試薬容器コンテナでは、特定の試薬コンテナへのアクセスが、受容ホイールを回転させ、所望の試薬容器をコンテナ蓋の開口部の下に配置させることにより可能となる。
【００３０】
好ましくは、試薬容器コンテナのコンテナ蓋の開口部は、その開口部を通して試薬容器を試薬容器コンテナに挿入したり、試薬容器コンテナから取り出したりすることができるように設計されている。また、コンテナ蓋の開口部は、ピペッティング装置がその開口部を通して試薬容器にアクセスするように設計されている。
【００３１】
好ましい試薬容器コンテナは、コンテナの内部を冷却するための冷却装置、例えばペルチエ素子を備える。
【００３２】
本発明のさらに別の課題は、本発明による試薬容器コンテナと、試薬容器コンテナに対して試薬容器の挿入および取出しをする装置とを有する自動分析装置に関するもので、前記装置は、試薬容器を受容するための機構、好ましくは把持部を有する。試薬容器の挿入および取出し用装置は、本発明による閉止装置のガイドレールに対して平行方向に移動可能であるとともに、ガイドレールに水平方向の力をかけることができる搬送アームを備えているのが好ましい。これは、特に、試薬容器コンテナの蓋に固定された閉止装置を、試薬容器の挿入および取出し用装置が試薬容器の移動を行うために試薬容器コンテナに接近したときに自動的に起動できるという特別な効果を有する。
【００３３】
有利な実施形態では、把持部が固定された搬送アームは、接触部、好ましくは、コンテナ蓋上の閉止装置のガイドレールに係合するローラを有する。これにより、ガイドレール上の摩擦が低減され、故障の可能性が低減される。さらに、摩擦の程度が低ければ低いほど、材料の磨耗の程度が低くなることが期待され、このことは、装置の耐用年数を引き伸ばすことになる。
【発明の効果】
【００３４】
本発明によって達成される効果は、特に、平行に変位可能な自己復元閉止要素上のガイドレールによる閉止装置の機械的起動の結果として、自動分析装置の試薬容器コンテナの必要性に応じて、特に単純な密閉が可能となることである。上記閉止機構は、アクセスが必要でない段階では、試薬容器コンテナを確実に密閉するため、進入する熱の量を低減する。
【００３５】
本発明で例示する実施形態は、下記の図面に基づいて説明するものである。また、同一の部分については、すべての図面で同じ符号を使っている。
【図面の簡単な説明】
【００３６】
【図１】図１は、本発明の閉止装置を示している。
【図２】図２は、閉止位置にあり、コンテナ蓋の開口部に配置した閉止装置を示している。
【図３】図３は、閉止位置にあり、コンテナ蓋の開口部上に配置した閉止装置の断面図を示している。
【図４】図４は、閉止位置にあり、把持装置を備えた搬送アームを有する閉止装置を示している。
【図５】図５は、開放位置にあり、把持装置を備えた搬送アームを有する閉止装置を示している。
【図６】図６は、試薬容器コンテナと、試薬容器の挿入および取出し用装置を備えた自動分析装置の詳細を示している。
【発明を実施するための形態】
【００３７】
図１は、コンテナ蓋において開閉に適した閉止装置１を示す。閉止装置１は、まず、コンテナ蓋上、例えば、試薬容器コンテナの蓋に取り付けるための固定要素２（図２参照）を備える。この目的のため、閉止装置２は取り付け孔６を有する。固定要素２は、基板８、基板８に平行な面から上方へ立ち上がり、基板８より突出した板１０とを備える。板１０は略長方形で、基板８から見てその先端縁の端部に、スライド軸受として設計され、板１０の表面に対して垂直な軸を有する２つの固定要素側軸受１８を備える。
【００３８】
２つの同一のレバー１４がそれぞれ軸ピンを介して軸受１８に取り付けられており、そのレバー１４は略棒状であり、同じくその端部にスライド軸受として設計され、その軸が平行に延びる閉止要素側軸受１６を有する。閉止部側軸受１６は、楔形形状の長方形の閉止要素２０上に配置されている。軸受１８、１６は長方形を成し、よって、平行四辺形に変形可能である。
【００３９】
固定要素２に固定された固定要素側軸受１８のそれぞれには、それぞれの脚ばね２２が割り振られており、その脚が固定要素２とレバー１４に割り振られている。脚ばね２２の力は、固定要素２から見て右側に作用する。
【００４０】
固定要素２から見て、レバー１４のそれぞれに沿った約３分の１の箇所に、他方の軸受の軸に平行に向いた別のピンが配置されている。さらに、スライド軸受として設計された軸受２４は、ピン上に配置されている。これらの軸受２４は、閉止要素２０の方向に離れて配置されたガイドレール２６に固定されている。ガイドレール２６は、閉止要素側軸受１６を連結する線に平行である。
【００４１】
ガイドレール２６は、軸受２４間を直線状に延在している。また、ばね力の方向に延びる波形の湾曲部２８を有している。湾曲部２８は、まず、固定要素２の方向へ約３０度湾曲し、さらに曲げ戻しによりサドル状に形成されており、曲げ戻しが、ガイドレール２６の直線部分にほぼ平行な方向を向いており、さらに固定要素２側の点に向かって湾曲している。
【００４２】
図２は、円形蓋４の平面図であり、円形蓋４は閉止装置１を有し、試薬容器コンテナを覆うのに適している。試薬コンテナ（図示せず）において、試薬容器用の受容部の複数の同心円が回転可能なホイール上に配置されている。試薬容器へは、把持部もしくはピペッティング装置を介してアクセスする。コンテナ蓋４は、図２の閉止要素２０によって覆われる長方形の開口部を有している。開口部は、蓋４の中心点から径方向に延在し、閉止装置１がそれに対応して配置されている。よって、開口部上において、蓋４の下方のホイールを回転させることによって、また、把持部またはピペッティング装置の径方向の動きによってホイール上の各点に届くため、各受容部へのアクセスが保証される。
【００４３】
開口部を、長さが閉止要素２０の側方の長さの合計に相当し、幅が閉止要素２０の幅の２倍に相当する凹部３０にはめ込む。閉止要素２０は、凹部３０の内部を移動する。この凹部３０の寸法により、レバー１４を最大限９０度まで回転させることができる。図２に示す閉止位置において、ばねの復元力は、凹部３０の縁部から形成された移動制限部３２によって制限される。開口部の周囲の周りに配置されているのはシールであり、このシールは、移動制限部３２に向かって上り傾斜状になっており、閉止要素２０の楔形に対応した形状である。シールと同じ形状を有する楔形により閉止状態において接触圧を得られるので、密閉が可能となる。
【００４４】
図３は、図２の配置を断面図で示すものであり、閉止装置１は閉止位置にあり、コンテナ蓋４の開口部４０上に配置されている。図３は、シール３４を有する開口部４０と、閉止状態の閉止要素２０の楔形とをより明確に示している。
【００４５】
図４から６は、試薬コンテナまたはピペッティング装置の搬送用として把持部を固着することができる可動搬送アーム３６を示している。搬送アーム３６は、試薬容器コンテナを有するホイールに対して半径方向に移動可能である。この方向に垂直な方向への移動は、ガイド（詳細は図示せず）によって抑制される。搬送アーム３６は、自動分析装置の制御部（図示せず）によって自動で制御される。
【００４６】
搬送アーム３６に固着させたローラ３８は、ガイドレール２６の高さに配置され、閉止要素側においてガイドレール２６に係合する。図４に示す搬送アームの休止位置では、ローラ３８がガイドレール２６の湾曲部２８の端部に配置されている。
【００４７】
制御装置によって試薬容器コンテナへのアクセスが可能となると、搬送アーム３６がホイールの中心点の方向に移動する。湾曲部２８の湾曲形状により、ガイドレール２６に対し、固定要素２の方向に力が作用する。この力により、閉止要素２０が移動する。個々の構造部の寸法は、ローラ３８がガイドレール２６の直線部分に到達したときに、レバー１４が約９０度の回転を終えているように選択するとよい。そして、軸受１６、１８、２４はすべて一直線上にあり、閉止装置１は、図５に示すように、完全に開放された位置となる。
【００４８】
搬送アーム３６が図５に示す点からさらに移動を開始すると、ガイドレール２６を介してのみ、固定要素２の方向に力が作用する。閉止要素２０は、開放位置を保つ。搬送アーム３６が再び元の位置に移動すると、脚ばね２２の復元力は、閉止要素２０を閉じた位置へ再び自動的に戻す働きを有する。
【００４９】
図６は、試薬容器コンテナ５０と、試薬容器を試薬容器コンテナに対して挿入および取り出しをするための装置８０とを備えた自動分析装置の詳細を示す図であり、前記装置は、試薬容器７０を受容するための把持部６０を備えている。把持部６０は、搬送アーム３６に固着され、ローラ３８がさらに固着されている。試薬容器７０に割り当てられた搬送アーム３６が試薬容器コンテナ５０に向かって移動すると、ローラ３８は、試薬容器７０とともに、試薬容器７０を試薬容器コンテナ５０に挿入するため、および試薬容器コンテナ５０から取出すための開口部４０を有するコンテナ蓋４の領域に到達する。ローラ３８をガイドレール２６に係合することにより、閉止要素は、把持部６０が開口部４０に到達した瞬間に開放位置まで移動する。
【符号の説明】
【００５０】
１  閉止装置
２  固定要素
４  コンテナ蓋
６  取り付け孔
８  基板
１０  プレート
１４  レバー
１６  閉止要素側軸受
１８  固定要素側軸受
２０  閉止要素
２２  復元要素／脚ばね
２４  軸受
２６  ガイドレール
２８  湾曲部
３０  凹部
３２  移動制限部
３４  シール
３６  搬送アーム
３８  ローラ
４０  開口部
５０  試薬容器コンテナ
６０  把持部
７０  試薬容器
８０  試薬容器の挿入および取出し用装置
【図１】
2014137372.tif 000003
【図２】
2014137372.tif 000004
【図３】
2014137372.tif 000005
【図４】
2014137372.tif 000006
【図５】
2014137372.tif 000007
【図６】
2014137372.tif 000008